(57)【要約】      （修正有）【課題】効率よく電子メニューを編集できる電子メニュー編集装置及び電子メニュー編集プログラムを提供する。【解決手段】電子メニュー編集装置は、入出力装置と、メモリと、電子メニューに掲載するアイテムの素材を格納する素材ファイルと、素材ファイルから選択された素材を含む素材データと、素材データの表示方法を示す編集データと、を含む編集ファイルと、電子メニューを表示する電子メニュー装置に実際に表示される形態によって画像配列編集用の編集ウインド５０１を表示する制御部と、を備える。【選択図】図５
2014119963.tif 000002
【特許請求の範囲】
【請求項１】
入出力装置と、
メモリと、
電子メニューに掲載するアイテムの素材を格納する素材ファイルと、
前記素材ファイルから選択された素材を含む素材データと、前記素材データの表示方法を示す編集データと、を含む編集ファイルと、
前記電子メニューを表示する電子メニュー装置に実際に表示される形態によって画像配列編集用の編集ウインドを前記入出力装置に表示する制御部と、
を備える電子メニュー編集装置。
【請求項２】
前記制御部は、
前記編集ウインドの外部に、素材データを表示する素材ウインドをさらに表示する請求項１記載の電子メニュー編集装置。
【請求項３】
前記制御部は、
前記素材ウインドから前記編集ウインドへのドラッグ・アンド・ドロップによって表示する素材を入力する請求項２記載の電子メニュー編集装置。
【請求項４】
前記制御部は、
前記編集ウインドに表示される内容を編集する編集画面を前記入出力装置に表示する請求項３記載の電子メニュー編集装置。
【請求項５】
コンピュータを、
電子メニューに掲載するアイテムの素材を格納する素材ファイルから前記素材を読み込む読み込み手段と、
電子メニューを表示する電子メニュー装置に実際に表示される形態によって画像配列編集用の編集ウインドを表示する編集ウインド表示手段と、
前記編集ウインドによって前記素材ファイルから選択された素材を含む素材データと、前記編集ウインドによって指定された前記素材データの表示方法を示す編集データと、を含む編集ファイルを生成する編集ファイル生成手段と、
として機能させるための電子メニュー編集プログラム。
【発明の詳細な説明】
【技術分野】
【０００１】
本発明の実施形態は、電子メニュー編集装置及び電子メニュー編集プログラムに関する。
【背景技術】
【０００２】
近年、タブレット型の携帯端末が普及し、この携帯端末を利用した電子メニューが一般化しつつある。この電子メニューは多数の画像やテキストを顧客の指示によって表示することができるため、商品のアピールに効果的である。この電子メニューは商品の販売店により異なるため、電子メニューを効率よく編集する手段が必要となる。
【０００３】
従来の電子メニューの編集手段は、表示する画像とテキストを入力し、編集された電子メニューのデータをタブレット端末に表示させないと実際に表示されるレイアウトが確認できなかった。したがって、所望の電子メニューを作成するためには時間と手間がかかっていた。
【先行技術文献】
【特許文献】
【０００４】
【特許文献１】特開２００１−１７５９５４号公報
【発明の概要】
【発明が解決しようとする課題】
【０００５】
したがって、効率よく電子メニューを編集できる電子メニュー編集装置及び電子メニュー編集プログラムが求められている。
【課題を解決するための手段】
【０００６】
上記の課題を解決するために、本発明の一実施形態は、入出力装置と、メモリと、電子メニューに掲載するアイテムの素材を格納する素材ファイルと、素材ファイルから選択された素材を含む素材データと、素材データの表示方法を示す編集データと、を含む編集ファイルと、電子メニューを表示する電子メニュー装置に実際に表示される形態によって画像配列編集用の編集ウインドを表示する制御部と、を備える電子メニュー編集装置を提供する。
【図面の簡単な説明】
【０００７】
【図１】電子メニュー編集装置の構成を示すブロック図である。
【図２】電子メニュー装置の構成を示すブロック図である。
【図３】編集データのデータ構成を示す図である。
【図４】電子メニュー編集装置の動作を示すフローチャートである。
【図５】電子メニュー編集装置のカテゴリページ編集画面の例を示す図である。
【図６】電子メニュー編集装置のアイテムページ編集画面の例を示す図である。
【発明を実施するための形態】
【０００８】
以下、電子メニュー編集装置及び電子メニュー編集プログラムの一実施形態について、図面を用いて詳細に説明する。
【０００９】
本実施形態の電子メニュー編集装置は、入出力装置と、メモリと、電子メニューに掲載するアイテムの素材を格納する素材ファイルと、素材ファイルから選択された素材を含む素材データと、素材データの表示方法を示す編集データと、を含む編集ファイルと、電子メニューを表示する電子メニュー装置に実際に表示される形態によって画像配列編集用の編集ウインドを表示する制御部と、を備える。
【００１０】
図１は、本実施形態の電子メニュー編集装置１００の構成を示すブロック図である。図１に示すように、電子メニュー編集装置１００は、制御部であるＣＰＵ１０１と、キーボード、マウス、ディスプレイ、あるいはタッチパネルなどの入出力装置１０２と、ＲＡＭ、ＲＯＭなどのメモリ１０３と、フラッシュメモリ、ハードディスクドライブなどの記憶装置１０４と、ＳＤカード、ＵＳＢメモリのような携帯型の記憶媒体の入出力装置である記憶媒体入出力装置１０５と、を備える。
【００１１】
電子メニュー編集装置１００は、記憶装置１０４に、電子メニューに掲載するアイテムの画像データなどの素材を格納する素材ファイル１０４Ａと、電子メニューのデータ本体である編集ファイル１０４Ｂと、を格納する。
【００１２】
編集ファイル１０４Ｂは、素材ファイル１０４Ａから選択されたアイテムの画像などの素材データ１０４Ｃと、素材データ１０４Ｃの表示方法を示す編集データ１０４Ｄと、を含む。
【００１３】
電子メニュー編集装置１００はいわゆるパーソナルコンピュータであってもよい。この場合、電子メニュー編集装置１００は、記憶装置１０４に電子メニュー編集プログラムを格納し、この電子メニュー編集プログラムをメモリ１０３に読みだして順次ＣＰＵ１０１が実行する。
【００１４】
素材データ１０４Ｃは、静止画像のほか、動画、音声を含んでもよい。
【００１５】
編集データ１０４Ｄは、電子メニュー装置３００が解釈できるフォーマットによって記載される。編集データ１０４Ｄは、例えばＸＭＬによって記載されるが、これに限られるものではない。
【００１６】
電子メニュー編集装置１００は、電子メニュー編集プログラムによって編集データ１０４Ｄを編集し、記憶装置１０４に格納する。また、電子メニュー編集装置１００は編集した編集データ１０４Ｄを記憶媒体入出力装置１０５によって記憶媒体２０１に格納する。
【００１７】
図２は、電子メニュー装置３００の構成を示すブロック図である。図２に示すように、電子メニュー装置３００は、制御部であるＣＰＵ３０１と、タッチパネルなどの入出力装置３０２と、ＲＡＭ、ＲＯＭなどのメモリ３０３と、フラッシュメモリ、ハードディスクドライブなどの記憶装置３０４と、ＳＤカード、ＵＳＢメモリのような携帯型の記憶媒体の入出力装置である記憶媒体入出力装置３０５と、を備える。
【００１８】
電子メニュー装置３００は、記憶媒体入出力装置３０５によって記憶媒体２０１から編集データ１０４Ｄを読み出し、記憶装置３０４に編集ファイル３０４Ｂとして格納する。
【００１９】
編集ファイル３０４Ｂは、素材データ３０４Ｃと、編集データ３０４Ｄと、を含む。
【００２０】
電子メニュー装置３００は、編集データ３０４Ｄを解釈できるソフトウエアを含む表示手段を備え、この表示手段によって編集データ３０４Ｄの記載に基づいて素材データ３０４Ｃと、編集データ３０４Ｄに記載されたテキストデータと、を入出力装置３０２にメニューとして表示する。
【００２１】
図３は、編集データ１０４Ｄのデータ構成を示す図である。図３に示すように、編集データ１０４Ｄは、電子メニューの名前、背景画像などの基本情報を示す「基本情報」と、電子メニューのカテゴリのページに関する情報を示す「カテゴリ情報」と、を含む。
【００２２】
カテゴリ情報は、各カテゴリを示す画像の配列パターンを示す「カテゴリ配列パターン」と、カテゴリのページにこの配列パターンに従って表示する各カテゴリを示す「カテゴリリスト」と、を含む。
【００２３】
カテゴリ配列パターンは、予め電子メニュー編集プログラムの内部によって、例えば１ページに４カテゴリ、１ページに８カテゴリなど、数種類定義される。
【００２４】
カテゴリリストは、ユーザが任意の数のカテゴリを登録できる。
【００２５】
カテゴリリストは、当該カテゴリの名称である「カテゴリ名」と、当該カテゴリに関して表示される画像である「カテゴリ画像」と、当該カテゴリの説明文である「カテゴリテキスト」と、当該カテゴリに属するアイテムに関する情報である「アイテム情報」と、を含む。
【００２６】
アイテム情報は、ユーザが任意の数のアイテムを当該カテゴリに登録できる。
【００２７】
アイテム情報は、各アイテムを示す画像の配列パターンを示す「アイテム配列パターン」と、アイテムのページにこの配列パターンに従って表示する各アイテムを示す「アイテムリスト」と、を含む。
【００２８】
アイテム配列パターンは、予め電子メニュー編集プログラムの内部によって、例えば１ページに８アイテム、１ページに１６アイテムなど、数種類定義される。
【００２９】
アイテムリリストは、ユーザが任意の数のアイテムを登録できる。
【００３０】
アイテムリストは、当該アイテムの名称である「アイテム名」と、当該アイテムに関して表示される画像である「アイテム画像」と、当該アイテムの説明文である「アイテムテキスト」と、当該アイテムの価格である「アイテム価格」と、を含む。
【００３１】
図４は、電子メニュー編集装置１００の動作を示すフローチャートである。図４に示すように、ステップ４０１において、電子メニュー編集装置１００は、カテゴリ配列パターンを選択入力する。
【００３２】
ステップ４０２において、電子メニュー編集装置１００は、カテゴリ名を入力する。
【００３３】
ステップ４０３において、電子メニュー編集装置１００は、カテゴリ画像を入力する。
【００３４】
ステップ４０４において、電子メニュー編集装置１００は、カテゴリリストを入力する。
【００３５】
ステップ４０５において、電子メニュー編集装置１００は、アイテム配列パターンを選択入力する。
【００３６】
ステップ４０６において、電子メニュー編集装置１００は、アイテム名を入力する。
【００３７】
ステップ４０７において、電子メニュー編集装置１００は、アイテム画像を入力する。
【００３８】
ステップ４０８において、電子メニュー編集装置１００は、アイテムテキストを入力する。
【００３９】
ステップ４０９において、電子メニュー編集装置１００は、アイテム価格を入力する。
【００４０】
ステップ４１０において、電子メニュー編集装置１００は、入力情報に基づいて編集データを生成する。
【００４１】
なお、上述の各ステップは、順不同に実行することができるように構成することができる。
【００４２】
図５は、電子メニュー編集装置１００のカテゴリページ編集画面の例を示す図である。図５に示すように、電子メニュー編集装置１００は、カテゴリページ編集画面の中央部に、電子メニュー装置３００に実際に表示される形態によって画像配列編集用の編集ウインド５０１と、編集ウインドの下部に、素材データ１０４Ｃが表示される素材ウインド５０２と、を表示する。
【００４３】
電子メニュー編集装置１００は、矢印Ｘ１に示すように、素材ウインド５０２から編集ウインド５０１へのドラッグ・アンド・ドロップによって、カテゴリページに表示させるカテゴリ画像と表示順序を入力する。
【００４４】
カテゴリページに表示するカテゴリの数は、「カテゴリ数」５０３によって、カテゴリ名は「カテゴリ名」５０４によって、入力される。
【００４５】
更新ボタン５０５の押下によって入力された各項目がメモリ１０３に格納される。また、保存ボタン５０６の押下によって、素材データ１０４Ｃと編集データ１０４Ｄとが生成される。
【００４６】
図６は、電子メニュー編集装置１００のアイテムページ編集画面の例を示す図である。図６に示すように、電子メニュー編集装置１００は、アイテムページ編集画面の中央部に、電子メニュー装置３００に実際に表示される形態によって画像配列編集用の編集ウインド６０１と、編集ウインドの下部に、素材データ１０４Ｃが表示される素材ウインド６０２と、を表示する。
【００４７】
電子メニュー編集装置１００は、矢印Ｘ２に示すように、素材ウインド６０２から編集ウインド６０１へのドラッグ・アンド・ドロップによって、カテゴリページに表示させるカテゴリ画像と表示順序を入力する。
【００４８】
アイテム名は「アイテム名」６０３によって、アイテムの品番は「品番」６０４によって、アイテム価格は「価格」６０５によって、アイテムテキストは「コメント」６０６によって、入力される。
【００４９】
なお、一つのアイテムに補助的に表示されるサブ画像を登録することの可能である。この場合、電子メニュー編集装置１００は、素材ウインド６０２から「サブ画像」６０７へのドラッグ・アンド・ドロップによって、サブ画像を入力する。
【００５０】
更新ボタン６０８の押下によって入力された各項目がメモリ１０３に格納される。また、保存ボタン６０９の押下によって、素材データ１０４Ｃと編集データ１０４Ｄとが生成される。
【００５１】
以上述べたように、本実施形態の電子メニュー編集装置１００は、入出力装置１０２と、メモリ１０３と、電子メニューに掲載するアイテムの素材を格納する素材ファイル１０４Ａと、素材ファイル１０４Ａから選択されたアイテムの画像を含む素材データ１０４Ｃと、素材データ１０４Ｃの表示方法を示す編集データ１０４Ｄと、実際に電子メニューを表示する電子メニュー装置３００に表示される形態によって編集用の編集ウインド５０１を表示する制御部と、を備える。
【００５２】
従って、ユーザは編集ウインドを見て確認しながら効率よく電子メニューを編集することが可能となるという効果がある。
【００５３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１０４Ｂ：編集ファイル
１０４Ｃ：素材データ
１０４Ｄ：編集データ
５０１、６０１：編集ウインド
５０２、６０２：素材ウインド
【図１】
2014119963.tif 000003
【図２】
2014119963.tif 000004
【図３】
2014119963.tif 000005
【図４】
2014119963.tif 000006
【図５】
2014119963.tif 000007
【図６】
2014119963.tif 000008